(57)【要約】【課題】定荷重ばねユニットとエアーダンパーとを含む引戸用の自動閉止装置において、ガイドレールの上下寸法を可能な限り小さくして、その分だけ自動閉止装置を含む引戸の設置スペースを小さくする。【解決手段】戸パネル２を閉じ付勢する定荷重ばねユニット９と、ばねユニットの張力に抗して戸パネル２を制動するエアーダンパー１０とを備えている。エアーダンパー１０は、所定値以上の操作力が作用する状態においてのみ往復変位できるようガイドレール１に支持する。ガイドレール１側に固定したストッパー２６・２７で、エアーダンパー１０が戸パネル２と同行移動できる範囲を規定する。エアーダンパー１０は、戸パネル２の上面両側に設けたランナー３の左右間に配置する。以て、エアーダンパー１０の外郭線がランナー３の移動軌跡と重なるようにして、ガイドレール１の上下寸法を可能な限り小さくする。【選択図】　　　　図１
2004076432.tif 000002
【特許請求の範囲】
【請求項１】
戸パネル２とガイドレール１との間に設けられて、戸パネル２を閉じ移動させる閉止動力源９と、閉止動力源９の閉止動力に抗して戸パネル２の閉じ動作を制動するエアーダンパー１０とを含み、
エアーダンパー１０は、所定値以上の操作力が作用する状態においてのみガイドレール１に沿って往復変位可能な状態で支持されて、ガイドレール１側に固定したストッパー２６・２７で規定される範囲内を戸パネル２と同行移動でき、
エアーダンパー１０が、戸パネル２の上面両側に設けたランナー３の左右間に配置されて、その外郭線がランナー３の移動軌跡と重なっていることを特徴とする引戸用の自動閉止装置。
【請求項２】
エアーダンパー１０が、ガイドレール１にスライド変位可能に案内支持されており、
ピストンロッド２２がシリンダー２０から相対的に抜き出し操作されるときの操作力をＦ１とし、エアーダンパー１０がガイドレール１に沿ってスライド移動するときの操作力をＦ２とし、ピストンロッド２２が相対的にシリンダー２０内へ退入移動するときの操作力をＦ３とするとき、
各操作力が不等式（Ｆ１＜Ｆ２＜Ｆ３）を満足するように設定してある請求項１記載の引戸用の自動閉止装置。
【請求項３】
断面コ字形の条材からなるガイドレール１の内面前後に、ランナー３を転動案内するレール壁４と、エアーダンパー１０をスライド案内するガイド突起５とがそれぞれ一体に形成されており、
エアーダンパー１０は、そのシリンダー２０の外面に固定したスライドブロック２４を介してガイド突起５で案内支持されており、
スライドブロック２４とガイドレール１との間に、スライドブロック２４の移動を制限する摩擦体２９が配置してある請求項２記載の引戸用の自動閉止装置。
【請求項４】
エアーダンパー１０と戸パネル２とが、所定の分離力が作用する状態でのみ分離できる連結具３２を介して同行移動可能に連結されており、連結具３２が、ランナー３に設けたホルダー３３と、ホルダー３３とピストンロッド２２のいずれか一方に固定した永久磁石３４と、他方に固定した吸着板３５とで構成してある請求項２または３記載の引戸用の自動閉止装置。
【請求項５】
閉止動力源が、戸パネル２を閉じ位置へ向かって移行付勢する定荷重ばねユニット９からなり、
定荷重ばねユニット９は、閉じ端側のランナー３に固定されて、ドラム１４に巻き掛けた帯状のばね材１５の繰り出し端が、ガイドレール１の閉じ端側に固定されており、
エアーダンパー１０が、戸パネル２の上面両側に設けたランナー３の左右間に配置されて、その外郭線がランナー３、および定荷重ばねユニット９の移動軌跡と重なっている請求項２または３または４記載の引戸用の自動閉止装置。
【発明の詳細な説明】
【０００１】
【発明が解決しようとする課題】
本発明は、任意位置まで開放した戸パネルを、エアーダンパーで制動しながらゆっくりと自動閉止できる引戸用の自動閉止装置に関する。自動閉止装置の閉止動力源としては、例えば定荷重ばねユニットが使用されるものである。
【０００２】
【従来の技術】
本出願人は、この種の自動閉止装置を先に提案した（特開平９−１６５９６８号公報）。そこでは、戸パネルを定荷重ばねユニットで閉じ付勢して、任意の開放位置から戸パネルを自動閉止できるようにし、エアーダンパーで戸パネルの閉止動作を制動している。そのエアーダンパーはシリンダーと、シリンダー内を摺動するピストンおよびピストンロッドと、シリンダー端に設けた速度コントローラなどからなる。
【０００３】
速度コントローラは、閉止移動時の空気の通過量を調整する可変絞り弁と、開放移動時に空気の流入を許す給気弁とを備えていて、戸パネルが閉止移動する場合にのみ制動作用を発揮する。この種の自動閉止装置によれば、任意位置まで開放した戸パネルをエアーダンパーで制動してゆっくりと閉じ移動でき、引戸開放時にはエアーダンパーによる抵抗を受けることなく、戸パネルを軽快に開き操作できる。
【０００４】
本発明の自動閉止装置は、戸パネルの開放途中にエアーダンパーのピストンロッドとランナーとの接続を解除するようになっているが、この種の自動閉止装置は特開平９−８８４１３号公報や実開平６−１６７６号公報に公知である。
【０００５】
【発明が解決しようとする課題】
従来の自動閉止装置においては、エアーダンパーをガイドレールに固定しておく必要上、ランナーの移動軌跡の上方にエアーダンパーを配置し、戸パネルを開閉する際にランナーとエアーダンパーとが接当緩衝するのを避けている。例えば、本出願人の先の提案に係る自動閉止装置においては、エアーダンパーを下向きに開口する断面コ字状のガイドレールの天井壁に固定し、その下方空間をランナーと定トルクばねユニットとが開閉移動する構造になっていた。そのため、ガイドレールの上下寸法が大きくなるのを避けられず、その分だけ自動閉止装置を含む引戸の設置スペースが大きくなる不利があった。もちろん、ガイドレールのコストを高く付いていた。
【０００６】
断面Ｌ字のガイドレールでランナーを案内支持するようにした自動閉止装置がある。この場合にもランナーの移動軌跡の上方にエアーダンパーを配置する限り、自動閉止装置の全体を囲い込むための外装カバーが大形化するので、同様の不利を免れない。ランナーの移動軌跡とエアーダンパーを前後に隣接配置することはできるが、その場合にはガイドレールの上下寸法は小さくできるものの、前後寸法が大きくなる点で意味を為さない。また、ガイドレールに固定したエアーダンパーで、閉じストロークの全範囲にわたって戸パネルを制動する場合には、長尺のエアーダンパーが必要であるうえ、戸パネルを全開放操作した場合に、閉じストロークの全範囲で制動力が作用するので、戸パネルが完全に閉じ切るのに余分な時間が掛かる。
【０００７】
本発明の目的は、エアーダンパーをランナーの移動軌跡と重なる状態で配置することにより、ガイドレールや外装カバーの上下寸法を可能な限り小さくでき、その分だけ自動閉止装置を含む引戸の設置スペースが小さくなり、ガイドレールを小形化して、その分だけ低コスト化できる自動閉止装置を提供することにある。
【０００８】
本発明の目的は、戸パネルの開閉ストロークが大きい場合にも、より短いエアーダンパーで戸パネルを制動でき、従ってエアーダンパーの製作コストを削減化できる引戸用の自動閉止装置を提供することにある。
【０００９】
【課題を解決するための手段】
本発明の自動閉止装置は、戸パネル２とガイドレール１との間に設けられて、戸パネル２を閉じ移動させる閉止動力源９と、閉止動力源９の閉止動力に抗して戸パネル２の閉じ動作を制動して減速するエアーダンパー１０とを含む。エアーダンパー１０は、所定値以上の操作力が作用する状態においてのみガイドレール１に沿って往復変位可能な状態で支持されて、ガイドレール１側に固定したストッパー２６・２７で規定される範囲内を戸パネル２と同行移動できる。エアーダンパー１０は、戸パネル２の上面両側に設けたランナー３の左右間に配置されて、その外郭線がランナー３の移動軌跡と重なっていることを特徴とする。
【００１０】
具体的には、エアーダンパー１０は、ガイドレール１にスライド変位可能に案内支持する。ピストンロッド２２がシリンダー２０から相対的に抜き出し操作されるときの操作力をＦ１とし、エアーダンパー１０がガイドレール１に沿ってスライド移動するときの操作力をＦ２とし、ピストンロッド２２が相対的にシリンダー２０内へ退入移動するときの操作力をＦ３とするとき、各操作力が不等式（Ｆ１＜Ｆ２＜Ｆ３）を満足するように設定する。
【００１１】
断面コ字形の条材からなるガイドレール１の内面前後には、ランナー３を転動案内するレール壁４と、エアーダンパー１０をスライド案内するガイド突起５とをそれぞれ一体に形成する。エアーダンパー１０は、そのシリンダー２０の外面に固定したスライドブロック２４を介してガイド突起５で案内支持する。スライドブロック２４とガイドレール１との間には、スライドブロック２４の移動を制限する摩擦体２９を配置する。
【００１２】
エアーダンパー１０と戸パネル２とは、所定の分離力が作用する状態でのみ分離できる連結具３２を介して同行移動可能に連結する。連結具３２は、ランナー３に設けたホルダー３３と、ホルダー３３とピストンロッド２２のいずれか一方に固定した永久磁石３４と、他方に固定した吸着板３５とで構成する。
【００１３】
閉止動力源は、戸パネル２を閉じ位置へ向かって移行付勢する定荷重ばねユニット９からなる。その定荷重ばねユニット９は、閉じ端側のランナー３に固定されて、ドラム１４に巻き掛けた帯状のばね材１５の繰り出し端が、ガイドレール１の閉じ端側に固定されている。エアーダンパー１０は、戸パネル２の上面両側に設けたランナー３の左右間に配置されて、その外郭線がランナー３、および定荷重ばねユニット９の移動軌跡と重なるようにする。
【００１４】
【発明の作用効果】
本発明の自動閉止装置では、エアーダンパー１０を戸パネル２の上面両側に設けたランナー３の左右間に配置して、その外郭線がランナー３の移動軌跡と重なるようにしたので、ガイドレール１や自動閉止装置の外周を囲む外装カバーの上下寸法を可能な限り小さくして、その分だけ自動閉止装置を含む引戸の設置スペースを小さくできる。エアーダンパー１０を左右のランナー３間に配置されているので、従来のエアーダンパーに比べてその左右長さを小さくでき、ガイドレール１の小形化と相まって自動閉止装置の全体製作コストを削減化できる。
【００１５】
エアーダンパー１０を左右のランナー３間に配置してガイドレール１に固定してしまうと、戸パネル２を開閉するときランナー３がエアーダンパー１０に接当干渉する。これを避けて、戸パネル２を全開放位置まで支障なく開放操作するために、エアーダンパー１０がガイドレール１に沿って往復変位可能に支持されている。
【００１６】
また、戸パネル２を開放操作するのと同時に、シリンダー２０が戸パネル２に同行して移動すると、戸パネル２を任意の開放位置から閉じるとき、その移動動作を制動できないことになる。これを避けて、戸パネル２の開放時にピストンロッド２２のみを先行して伸張移動させるために、エアーダンパー１０は所定値以上の操作力が作用する状態においてのみガイドレール１に沿って往復変位可能な状態で支持している。ストッパー２６・２７を設けるのは、エアーダンパー１０がガイドレール１に沿って移動するので、その制動開始位置と移動限界位置とを特定するためである。
【００１７】
エアーダンパー１０は、例えば戸パネル２の上面で支持して、ガイドレール１に沿って往復変位させることができるが、その場合には戸パネル２とエアーダンパー１０との間に何らかの支持構造を設ける必要がある。このような支持構造を省略して、自動閉止装置の構造を簡略化するために、エアーダンパー１０がガイドレール１でスライド変位可能に案内支持されている。
【００１８】
ピストンロッド２２やエアーダンパー１０の動作に関する操作力Ｆ１、操作力Ｆ２、操作力Ｆ３を不等式（Ｆ１＜Ｆ２＜Ｆ３）を満足するように設定したのは、戸パネル２の開放初期に、シリンダー２０がピストンロッド２２とともに戸パネル２に同行してスライド移動するのを防止し、さらに戸パネル２が閉じ移動するときに、スライドブロック２４が閉じ端側のストッパー２６で受け止められるのに先行して、ピストンロッド２２がシリンダー２０内へ退入してしまうのを防止するためである。これにより、任意の開放位置から閉じ移動する戸パネル２を、エアーダンパー１０で確実に制動して、ゆっくりと閉じることができる。
【００１９】
ガイドレール１の内面前後に、ランナー３用のレール壁４と、エアーダンパー１０用のガイド突起５とをそれぞれ一体に形成して、エアーダンパー１０をスライドブロック２４を介してガイド突起５で案内支持し、スライドブロック２４とガイドレール１との間に摩擦体２９を配置すると、スライドブロック２４（エアーダンパー１０）が移動し始めるときの操作力Ｆ２を、摩擦体２９の形成素材や、その構造を変更することによって厳密に規定できる。従って、戸パネル２を開放したのち、自動的に閉止するまでの一連の動作を確実化できる。スライドブロック２４の形成素材に依存することなく、摩擦体２９の摩擦力を変更調整することで、ガイドレール１の構造の違いなどに簡単に対応できる。
【００２０】
エアーダンパー１０と戸パネル２とが、分離可能な連結具３２を介して同行移動可能に連結されていると、戸パネル２の開放端において永久磁石３４と吸着板３５とが分離した距離に相当する分だけ、エアーダンパー１０の左右長さをさらに小さくしながら、閉止移動する戸パネル２を問題なく制動でき、エアーダンパー１０の製作コストを削減化できる。
【００２１】
定荷重ばねユニット９を閉止動力源にして戸パネル２を閉じ付勢し、エアーダンパー１０の外郭線がランナー３、および定荷重ばねユニット９の移動軌跡と重なるようにした自動閉止装置によれば、定荷重ばねユニット９の作動に要するレール内空間を利用してエアーダンパー１０を配置できるので、ガイドレール１の内部空間の無駄を省いて、自動閉止装置の全体をコンパクトにまとめることができる。
【００２２】
【実施例】
図１ないし図６は本発明に係る自動閉止装置の実施例を示す。図２において、符号１は戸枠の上枠に固定したガイドレール、２は戸パネルである。戸パネル２は、その上部の左右両側に装着したランナー３を介してガイドレール１に吊持されており、ガイドレール１に沿って開閉移動する。
【００２３】
図３においてガイドレール１は下向きに開口する断面コ字形のアルミニウム条材からなり、その下面前後にランナー３を転動案内するレール壁４を有し、レール内面の前後に後述するスライドブロック２４をスライド案内するガイド突起５が対向状に突出形成されている。
【００２４】
任意の位置に開放した戸パネル２を制動しながら自動的に閉止操作するために、ガイドレール１の内部には自動閉止装置を設ける。その自動閉止装置は、戸パネル２を閉じ位置へ向かって移行付勢する定荷重ばねユニット（閉止動力源）９と、定荷重ばねユニット９の閉止動力に抗して戸パネル２の閉じ動作を制動して減速させ、戸パネル２を緩やかに閉止移動させるためのエアーダンパー１０とからなる。
【００２５】
図１において定荷重ばねユニット９は、閉じ端側のランナー３に固定したホルダー１２と、ホルダー１２に固定の軸１３に軸支されたドラム１４と、ドラム１４に渦巻状に巻き掛けた帯状のばね材１５とからなる。ガイドレール１の閉じ端側に固定のブラケット１６に、ばね材１５の繰り出し端をビスで固定することにより、戸パネル２は前記ばね材１５で常に閉じ方向へ引っ張り移動付勢されている。
【００２６】
ばね材１５は、ガイドレール１の上壁に近接対向する状態で繰り出される。なお、ばねユニット９は、ばね材１５の繰り出し長さとは無関係に常に一定の引っ張り力を発揮し、従って戸パネル２を開放操作するとき、その開放量とは無関係に操作力をほぼ一定とすることができる。
【００２７】
エアーダンパー１０は、シリンダー２０と、シリンダー２０で移行案内されるピストン（図示していない）およびピストンロッド２２と、シリンダー２０の閉じ端側の端部に固定した速度コントローラ２３と、シリンダー２０の両側端に外嵌固定したスライドブロック２４などを含む。速度コントローラ２３は市販品であって、その内部には、シリンダー２０内への空気の流入を許す逆止弁状の給気弁と、ピストンで排出される空気の通過量を調整する可変絞り弁とが内蔵されている。
【００２８】
戸パネル２を開放するときは、ピストンの吸入作用によって吸気弁が開弁されるので、外部空気はシリンダー２０内へ抵抗なく流入する。従って、ピストンおよびピストンロッド２２は、殆ど抵抗のない状態でシリンダー２０から引き出し操作できる。ピストンロッド２２が逆向きに移動する場合には、給気弁は閉じ状態となり、シリンダー２０内の空気は可変絞り弁で制限された状態で排出されるので、戸パネル２をゆっくりと閉じ移動できる。可変絞り弁の開量を調整することにより、戸パネル２の閉じ速度を大小に変更調整できる。なお、シリンダー２０の左右長さは、戸パネル２の全開閉ストロークの半分程度の長さがあればよい。
【００２９】
図３においてスライドブロック２４は、前後一対の摺動部２５を備えた逆凸字状のプラスチックブロックからなる。ガイドレール１の上壁とガイド突起５との間に前記摺動部２５を嵌め込んで支持することにより、シリンダー２０はガイドレール５に沿って左右スライドして戸パネル２と同行移動できる。但し、スライダー２４がスライドできるのは、シリンダー２０に所定値以上の操作力が作用した場合に限られ、しかも、スライドできる範囲はガイドレール３の上壁に固定した左右一対のストッパー２６・２７の範囲内に規制されている。
【００３０】
戸パネル２を開閉するとき、ピストンロッド２２と、シリンダー２０（またはスライドブロック２４）とが、規定された順序で伸縮し、あるいはエアーダンパー１０を戸パネル２と所定の状態で同行移動させるために、スライドブロック２４とガイドレール３の上壁との間には摩擦体２９を配置して、スライドブロック２４の移動を制限している。摩擦体２９は、金属ばね材やプラスチック材等で形成でき、スライドブロック２４に対して常に一定の摩擦抵抗を付与する。
【００３１】
上記のような自動閉止装置において、戸パネル２の上面の左右両側に設けたランナー３・３間にエアーダンパー１０を配置し、その外郭線がランナー３および定荷重ばねユニット９の移動軌跡と重なるようにエアーダンパー１０を設けることにより、ガイドレール１の上下寸法を可能な限り小さくした。この実施例において、ガイドレール１の上下寸法は、ランナー３と定荷重ばねユニット９が移動するのに必要な高さ寸法に余裕隙間を加えた寸法としたうえで、エアーダンパー１０の全体がガイドレール１内に収まるようにして、従来のガイドレールに比べてレール高さを減少させた。
【００３２】
エアーダンパー１０の左右長さを可能な限り小さく寸法設定してその製作コストを切り詰めるために、エアーダンパー１０と戸パネル２とは連結具３２を介して同行移動可能に連結し、戸パネル２が所定位置を越えて開放操作されるとき、連結具３２による連結状態が解除されるようにした。
【００３３】
図４および図５において、連結具３２はピストンロッド２２と、開放端側のランナー３との間に設けてあり、ランナー３のランナー台に設けたホルダー３３と、ホルダー３３に埋設固定した永久磁石３４と、ピストンロッド２２の突端に固定した円盤状の吸着板３５とで構成されている。
【００３４】
ホルダー３３および永久磁石３４は、図４に示すようにピストンロッド２２の中心線上に設けた吸着板３５を吸着できるように、ランナー台より上方に突出している。後述するように、永久磁石３４と吸着版３５とは所定の分離力が作用すると分離できる。
【００３５】
戸パネル２を開閉する際に、ピストンロッド２２およびエアーダンパー１０を決められた手順に従って作動させるために、これらの操作力は次のように規定されている。戸パネル２を開放操作するのに伴い、ピストンロッド２２がシリンダー２０から抜き出し操作されるときの操作力（ピストンの摩擦抵抗力）をＦ１とし、ピストンロッド２２が限界位置まで抜き出された後、エアーダンパー１０がガイドレール１に沿ってスライド移動するときの操作力（摩擦体２９の摩擦力）をＦ２とし、戸パネル２が定荷重ばねユニット９で引き戻されて閉じ移動することにより、ピストンロッド２２がシリンダー２０内へ退入移動するときの操作力（速度コントローラ２３の可変絞り弁による通気抵抗力）をＦ３とするとき、各操作力が不等式（Ｆ１＜Ｆ２＜Ｆ３）を満足するように設定した。
【００３６】
次に、自動閉止装置の動作を説明する。戸パネル２が閉じ状態にあるとき、エアーダンパー１０の閉じ端側のスライドブロック２４は、図１に示すように閉じ端側のストッパー２６で受け止められており、ピストンロッド２２はシリンダー２０内の退入限界位置まで退縮している。連結具３２の永久磁石３４と吸着板３５とは密着している。
【００３７】
この状態から戸パネル２を開放操作すると、ピストンロッド２２が戸パネル２と同行してシリンダー２０から抜き出される。このとき、シリンダー２０は摩擦体２９およびスライドブロック２４の摩擦力を受けるので、図６（ａ）に示すように、その位置に止まっている。なお、図６において符号６は戸枠の開放端側の側柱であり、側柱６に対する戸パネル２の位置からその開放量を知ることができる。
【００３８】
戸パネル２をさらに開放操作すると、ピストンロッド２２が限界位置まで抜け出るので、以後は図６（ｂ）に示すようにシリンダー２０がピストンロッド２２に同行して移動する。つまり、エアーダンパー１０が戸パネル２と同行移動する。このとき、戸パネル２を開放操作するのに操作力がいくらか増加するが、戸パネル２の運動慣性力が摩擦抵抗を打ち消すので、エアーダンパー１０がスライドし始めるのと同時に操作力が急激に増加することはない。
【００３９】
この状態で戸パネル２から手を離すと、戸パネル２は定荷重ばねユニット９で引き戻されて閉じ移動し、エアーダンパー１０も同方向へ移動する。スライドブロック２４が閉じ端側のストッパー２６に接当するまでは、摩擦体２９およびスライドブロック２４の摩擦力によって、戸パネル２の閉じ移動が制動される。以後は、エアーダンパー１０の制動作用によって戸パネル２が制動される。
【００４０】
図６（ｂ）の状態から戸パネル２をさらに開放操作すると、図６（ｃ）に示すように開放端側のスライドブロック２４が、開放端側のストッパー２７に受け止められるので、それ以上にエアーダンパー１０は移動できない。引き続き、戸パネル２を開放操作すると、連結具３２が分離して戸パネル２のみが全開放位置へ移動する。このように、全開放位置の手前で連結具３２を分離させると、永久磁石３４と吸着板３５とが分離した距離に相当する分だけエアーダンパー１０の左右長さを小さくしてそのコストを切り詰めることができる。
【００４１】
図６（ｃ）の状態にある戸パネル２が定荷重ばねユニット９に引き戻されて閉じ移動すると、永久磁石３４と吸着板３５とが再連結し、ピストンロッド２２がシリンダー２０側へ押される。先に説明したように、ピストンロッド２２がシリンダー２０内へ退入移動するときの操作力Ｆ３は、エアーダンパー１０がガイドレール１に沿ってスライド移動するときの操作力Ｆ２より充分に大きい。従って、永久磁石３４が吸着板３５に衝突した状態においては、シリンダー２０内の空気が圧縮されてその分だけピストンロッド２２は退縮するが、エアーダンパー１０これ全体に操作力Ｆ３と同じ力が作用するため、エアーダンパー１０は摩擦体２９の摩擦力に打ち勝って閉じ端側へスライド移動する。
【００４２】
エアーダンパー１０がスライド移動するのに伴い、ピストンによって圧縮されたシリンダー２０内の空気は速度コントローラ２３を介して徐々に排出され、内圧が低下する。すると、ピストンロッド２２は再び退縮するものの、その量は極く僅かでしかないので、エアーダンパー１０はシリンダー内圧の上昇と低下とを繰り返しながら、スライドブロック２４が閉じ端側のストッパー２６に接当するまで円滑にスライド移動する。この過程においても、ピストンロッド２２の僅かな退縮動作と、摩擦体２９およびスライドブロック２４の摩擦力によって、戸パネル２の閉じ移動が制動される。以後は、ピストンロッド２２がシリンダー２０内の空気を圧縮しながら退縮すること、即ちエアーダンパー１０の制動作用によって戸パネル２が制動される。
【００４３】
上記の実施例以外に、スライドブロック２４は、ランナー３用のレール壁４とレール上壁とで案内支持することができ、その場合にはガイド突起５を省略できる。エアーダンパー１０はガイドレール３で支持する必要はなく、例えば戸パネル２の上面で支持してもよい。必要に応じてローラーを介して戸パネル２の上面に支持してもよく、その場合にはエアーダンパー１０とガイドレール３との間に、摩擦体２９を設けてエアーダンパー１０の移動を規制することができる。
【００４４】
閉止動力源９としては、定荷重ばねユニット以外のばねを適用できる。また、ガイドレール３を閉じ端側へ向かって下り傾斜させておき、戸パネル２が自重で閉じ移動すること、つまり重力を閉止動力源９とすることができる。ガイドレール３は断面コ字形である必要はなく、上面や前面が開放された断面形状であってもよい。
【００４５】
摩擦体２９を用いる代わりに、スライドブロック２４が乗り越え可能なストッパーをガイドレール１に設けておき、ピストンロッド２２が限界位置へ伸び切るまでの間、シリンダー２０の移動をストッパーで規制することができる。その場合には、戸パネル２が閉じ移動するときの動作を利用して、スライドブロック２４がストッパーを乗り越えることで、エアーダンパー１０をリセットするとよい。シリンダー２０は左右に反転した状態で配置することができる。
【図面の簡単な説明】
【図１】自動閉止装置の中間部を省略した正面図である。
【図２】引戸の正面図である。
【図３】図４におけるＡ−Ａ線断面図である。
【図４】連結具とその周辺構造を示す要部の正面図である。
【図５】連結具とその周辺構造を示す要部の平面図である。
【図６】エアーダンパーおよび連結具の動作を示す概略正面図である。
【符号の説明】
１　ガイドレール
２　戸パネル
３　ランナー
４　レール壁
５　ガイド突起
９　定荷重ばねユニット
１０　エアーダンパー
１４　ドラム
１５　ばね材
２０　シリンダー
２２　ピストンロッド
２４　スライドブロック
２６・２７　ストッパー
２９　摩擦体
３２　連結具
３３　ホルダー
３４　永久磁石
３５　吸着板
【図１】
2004076432.tif 000003
【図２】
2004076432.tif 000004
【図３】
2004076432.tif 000005
【図４】
2004076432.tif 000006
【図５】
2004076432.tif 000007
【図６】
2004076432.tif 000008